(57)【要約】【課題】試料液容器において、試料液が吸引管で吸引され取り出されるときのこの吸引管で吸引される試料液の温度をより正確に温度管理する【解決手段】内部に収容された試料液１が吸引管８０によって吸引され取り出される試料液容器１００において、この試料液容器１００のうちの、少なくとも吸引管８０の吸引口８０Ｋ近傍に位置する容器温調部分１１１の熱伝導率を１５[Ｗ・Ｍ−１・Ｋ−１]以上とする。【選択図】図１
2007163403.tif 000002
【特許請求の範囲】
【請求項１】
内部に収容された試料液が吸引管によって吸引され取り出される試料液容器であって、
前記試料液容器のうちの、少なくとも前記吸引管の吸引口近傍に位置する容器温調部分の熱伝導率が１５[Ｗ・Ｍ−１・Ｋ−１]以上であることを特徴とする試料液容器。
【請求項２】
内部に収容された試料液が吸引管によって吸引され取り出される試料液容器であって、
前記試料液容器の内側表面のうちの前記吸引管の吸引口近傍に位置する内側表面部分と、前記試料液容器の外側表面のうちの前記試料液を温調するために加熱あるいは冷却される外側表面部分との間の熱伝導率が、他の表面部分間の熱伝導率より高くなるように構成されていることを特徴とする試料液容器。
【請求項３】
前記内側表面部分と外側表面部分との間に金属部材が配されていることを特徴とする請求項２記載の試料液容器。
【請求項４】
前記内側表面部分と外側表面部分との間の熱伝導率が１５[Ｗ・Ｍ−１・Ｋ−１]以上であることを特徴とする請求項２記載の試料液容器。
【請求項５】
前記試料液が、表面プラズモン共鳴の原理を用いたタンパクと化合物との結合量の測定に用いられるものであって、前記タンパクあるいは前記化合物を溶解させた試料液であることを特徴とする請求項１から４のいずれか１項記載の試料液容器。
【請求項６】
前記吸引管が、試料液の自動分注に用いられるピペッタであることを特徴とする請求項１から５のいずれか１項記載の試料液容器。
【発明の詳細な説明】
【技術分野】
【０００１】
本発明は試料液容器に関し、詳しくは、内部に収容された試料液が吸引管によって吸引され取り出される試料液容器に関するものである。
【背景技術】
【０００２】
従来より、自動分注装置によって分注される試料液を収容する試料液容器が知られている。このような試料液容器は樹脂製であり、容器の開口部を通して容器内にピペッタの先端部が挿入され、容器に収容されている試料液がピペッタで吸引され分注される（特許文献１参照）。
【０００３】
このような樹脂製の試料液容器は、表面プラズモン共鳴の原理を用いたタンパクと化合物との結合量の測定等を行う測定装置（特許文献２参照）にも使用される。より具体的には、試料液容器にはタンパクを溶解した試料液あるいは化合物を溶解した試料液が収容され、試料液容器からピペッタで吸引された試料液が分注されて上記結合量の測定が実施される。上記のような測定装置は、環境温度を一定に保つ温調が施された場所に設置され、温度変化の測定精度への影響を低減している。
【特許文献１】特開２００５−１０１７９号公報
【特許文献２】特開２００３−１７２７４３号公報
【発明の開示】
【発明が解決しようとする課題】
【０００４】
ところで、上記表面プラズモン共鳴の原理を用いた測定装置等においては測定精度を高めることが求められている。測定装置の測定精度を高めようとすると、上記のように環境温度を一定に保つ温調が施されていたとしても、その温調範囲内で生じる試料液の僅かな温度変化が測定誤差として現れることがある。そのため、ピペッタで吸引され測定に供される試料液の温度をより正確にコントロールしたいという要請がある。
【０００５】
なお、上記要請は、表面プラズモン共鳴の原理を用いたタンパクと化合物との結合量の測定に用いられる自動分注用の試料液容器に限らず、内部に収容された試料液が吸引管によって吸引され取り出される一般の試料液容器に対して共通するものである。
【０００６】
本発明は、上記事情に鑑みてなされたものであり、試料液が吸引管で吸引され取り出されるときのこの吸引管で吸引される試料液の温度をより正確に温度管理することができる試料液容器を提供することを目的とするものである。
【課題を解決するための手段】
【０００７】
本発明の第１の試料液容器は、内部に収容された試料液が吸引管によって吸引され取り出される試料液容器であって、試料液容器のうちの、少なくとも吸引管の吸引口近傍に位置する容器温調部分の熱伝導率が１５[Ｗ・Ｍ−１・Ｋ−１]以上であることを特徴とするものである。
【０００８】
前記容器温調部分は、この試料液容器の内側表面のうちの吸引管の吸引口近傍に位置する内側表面部分と、上記試料液容器の外側表面のうちの試料液を温調するために加熱あるいは冷却される外側表面部分との間の部分を意味するものである。ここで、吸引口近傍に位置する内側表面部分とは、試料液容器の内側表面のうちの、試料液が吸引管で吸引され取り出されるときのこの吸引管で吸引される試料液を効率良く過熱あるいは冷却できる領域を意味するものである。この内側表面部分は、試料液が吸引管で吸引され取り出されるときのこの吸引管で吸引される試料液が直接接触する領域であることが望ましいが、上記吸引管で吸引される試料液の近傍に位置する領域であってもよい。
【０００９】
本発明の第２の試料液容器は、内部に収容された試料液が吸引管によって吸引され取り出される試料液容器であって、試料液容器の内側表面のうちの吸引管の吸引口近傍に位置する内側表面部分と、試料液容器の外側表面のうちの試料液を温調するために加熱あるいは冷却される外側表面部分との間の熱伝導率が、他の表面部分間の熱伝導率より高くなるように構成されていることを特徴とするものである。
【００１０】
前記吸引口近傍に位置する内側表面部分は、上記第１の試料液容器の場合と同様に、試料液容器の内側表面のうちの、試料液が吸引管で吸引され取り出されるときのこの吸引管で吸引される試料液を効率良く過熱あるいは冷却できる領域を意味するものである。この内側表面部分は、試料液が吸引管で吸引され取り出されるときのこの吸引管で吸引される試料液が直接接触する領域であることが望ましいが、上記吸引管で吸引される試料液の近傍に位置する領域であってもよい。
【００１１】
前記他の表面部分間とは、試料液容器の内側表面のうちの前記内側表面部分以外の領域と前記外側表面部分との間、あるいは試料液容器の外側表面のうちの前記外側表面部分以外の領域と前記内側表面部分との間を意味するものである。
【００１２】
前記試料液容器は、内側表面部分と外側表面部分との間に金属部材が配されているものとしたり、内側表面部分と外側表面部分との間の熱伝導率が１５[Ｗ・Ｍ−１・Ｋ−１]以上であるものとすることができる。
【００１３】
前記試料液容器は、表面プラズモン共鳴の原理を用いたタンパクと化合物との結合量の測定に用いられる試料液であって、前記タンパクあるいは前記化合物を溶解させた試料液を収容するものすることができる。
【００１４】
前記試料液容器は、内部に収容された試料液が自動分注に用いられるピペッタによって吸引され取り出されるものとすることができる。
【００１５】
なお、内側表面部分と外側表面部分との間に互に異なる材料が積層されているときの熱伝導率は、この内側表面部分と外側表面部分との間に存在する部材全体としての熱伝導率を採用することができる。すなわち、内側表面部分と外側表面部分との間を通る単位時間、単位表面積当たりの熱流を、内側表面部分と外側表面部分との間の温度勾配で除したものを上記互に異なる材料が積層された部材の熱伝導率として採用することができる。
【発明の効果】
【００１６】
本発明の第１の試料液容器は、この試料液容器のうちの、少なくとも吸引管の吸引口近傍に位置する容器温調部分の熱伝導率を１５[Ｗ・Ｍ−１・Ｋ−１]以上としたので、試料液が吸引管で吸引され取り出されるときのこの吸引管で吸引される試料液の温度を、従来の樹脂製の試料液容器に比してより正確に温度管理することができる。
【００１７】
本発明の第２の試料液容器は、この試料液容器の内側表面のうちの吸引管の吸引口近傍に位置する内側表面部分と、試料液容器の外側表面のうちの試料液を温調するために加熱あるいは冷却される外側表面部分との間の熱伝導率を、他の表面部分間の熱伝導率より高くなるように構成したので、試料液が吸引管で吸引され取り出されるときのこの吸引管で吸引される一部の試料液の加熱あるいは冷却をより効率よく行なうことができる。したがって、試料液が吸引管で吸引され取り出されるときのこの吸引管で吸引される試料液の温度をより正確に温調することができ、例えば、環境温度を一定に保つ温調範囲内で試料液に僅かな温度変化が生じる場合であってもその温度をより正確に補正することができる。これにより、試料液が吸引管で吸引され取り出されるときのこの吸引管で吸引される試料液の温度をより正確に温度管理することができる。
【００１８】
また、第２の試料液容器を、内側表面部分と外側表面部分との間に金属部材が配したものとしたり、内側表面部分と外側表面部分との間の熱伝導率が１５[Ｗ・Ｍ−１・Ｋ−１]以上のものとすることにより、試料液が吸引管で吸引され取り出されるときのこの吸引管で吸引される試料液の温度をより確実に温度管理することができる。
【００１９】
なお、試料液を、表面プラズモン共鳴の原理を用いたタンパクと化合物との結合量の測定に用いられるものであって、上記タンパクあるいは上記化合物を溶解させた試料液とすれば、上記結合量の測定は温度の影響を受けやすいので、試料液が吸引管で吸引され取り出されるときのこの吸引管で吸引される試料液の温度をより正確に温度管理する顕著な効果を得ることができる。
【００２０】
また、吸引管を、試料液の自動分注に用いられるピペッタとすれば、上記自動分注に用いられるピペッタは、試料容器中の試料液を吸引する位置に配されるときの位置決め精度が高いので、試料液を吸引管で吸引して取り出すときのこの吸引管で吸引される試料液の温度をより正確に温度管理する顕著な効果を得ることができる。
【発明を実施するための最良の形態】
【００２１】
以下、本発明の実施の形態について、図面を用いて説明する。図１は本発明の実施の形態の試料液容器の概略構成を示す断面図、図２は上記試料液容器の外観を示す斜視図である。なお、図１は、図２に示す試料液容器をＸ−Ｚ平面に平行な面で切断した断面を示す図である。また、図３および図４は試料液容器の他の実施例を示す図である。
【００２２】
図１に示す本発明の実施の形態の試料液容器１００は、内部に収容された試料液１が吸引管であるピペッテ８０によって吸引され取り出される試料液容器である。上記試料液容器１００は、この試料液容器１００のうちの、試料液１がピペッテ８０の吸引口８０Ｋから吸引され取り出されるときのこの吸引口８０Ｋの近傍に位置する容器温調部分１１１の熱伝導率が１５[Ｗ・Ｍ−１・Ｋ−１]以上のものである。
【００２３】
上記容器温調部分１１１は、例えばＳＵＳ３１６からなるステンレス部材で形成することができる。
【００２４】
試料液容器１００は、試料液１を収容する開口部１０の一部が形成されている上記容器温調部分１１１を含む容器本体部１１０と、上記容器温調部分１１１に形成された開口部１０の一部に続くこの開口部１０の他の一部が形成されている容器ヘッド部１２０とから構成されている。上記開口部１０からピペッテ８０が挿入され、その吸引口８０Ｋから試料液１が吸引され取り出される。
【００２５】
容器温調部分１１１は、試料液容器１００の内側表面のうちの内側表面部分Ｕ１と、上記試料液容器１００の外側表面のうちの外側表面部分Ｗ１との間の部分であって、内側表面部分Ｕ１と外側表面部分Ｗ１とを含む部分である。
【００２６】
ここで、内側表面部分Ｕ１は、容器本体部１１０の内側表面のうちの、試料液１がピペッテ８０の吸引口８０Ｋから吸引され取り出されるときのこの吸引口８０Ｋの近傍に位置する部分である。
【００２７】
すなわち、上記内側表面部分Ｕ１は、容器本体部１１０の内側表面のうちの、試料液１がピペッテ８０で吸引され取り出されるときのこのピペッテ８０で吸引される試料液１ｐを効率良く過熱あるいは冷却できる領域である。この内側表面部分は、上記ピペッテ８０で吸引される試料液１ｐが直接接触する領域であることが望ましいが、そのような場合に限るものではない。
【００２８】
また、上記外側表面部分Ｗ１は、上記容器本体部１１０の外側表面のうちの、試料液１を温調するために加熱あるいは冷却される部分である。より詳しくは、上記外側表面のうちの、上記ピペッテ８０で吸引される試料液１ｐを温調するために加熱あるいは冷却される部分である。
【００２９】
外側表面部分Ｗ１は、温調装置２００の備える温調部２１０、例えばペルチェ素子からなる温調部２１０に接触せしめられており、この温調部２１０が外側表面部分Ｗ１を通して試料液１に熱を与えたり、この外側表面部分Ｗ１を通して試料液１から熱を奪ったりする。
【００３０】
容器本体部１１０は、開口部１０の側に位置する上記容器温調部分１１１と、樹脂部材で形成された熱伝導率が０．５[Ｗ・Ｍ−１・Ｋ−１]未満の樹脂容器部分１１２とからなる。
【００３１】
なお、容器本体部１１０の有する上記開口の上に配された容器ヘッド部１２０は、下側（図中矢印−Ｚ方向）に小径開口を上側（図中矢印＋Ｚ方向）に大径開口を有する筒状部１２１を備えている。この筒状部１２１には、小径開口と大径開口との境界に蒸気通過制限隔壁１２２が載置される台座Ｇが設けられている。上記台座Ｇ上には、蒸気通過制限隔壁１２２、圧入スペーサリング１２３がこの順に積み重ねられている。
【００３２】
蒸気通過制限隔壁２１は、中央に十字形状のスリットを有している。開口部１０を通してピペッテ８０が試料液容器１００内に挿入されるときには、上記十字状スリットによって４分割された隔壁部分それぞれの先端部分が押し下げられて変形しピペッテ８０の吸引口８０Ｋを通過させる。その後、ピペッテ８０が試料液１を吸引し開口部１０から外部に抜き出されると、押し下げられて変形していた各隔壁部分が元の平板状態に戻って開口部１０の隙間を小さくする。
【００３３】
上記蒸気通過制限隔壁２１は、シリコンシートやテフロン（登録商標）シート、あるいはシリコンシート上にテフロン（登録商標）シートを積層した積層シートを用いて作成することができる。なお、この蒸気通過制限隔壁２１は、圧入スペーサリング１２３が筒状部１２１の大径開口へ圧入されることによりこの筒状部１２１に固定される。
【００３４】
なお、容器本体部１１０の内側表面のうちの、ピペッテ８０が試料液１を吸引するときの吸引口８０Ｋの位置の鉛直下方（図中矢印−Ｚ方向）の領域に形成された液溜部Ｄ１が、他の内側表面の位置より低くなっている。そして、上記液溜部Ｄ１の最も低い位置から、試料液容器１００内に仕様範囲内で最大限の試料液１を収容したときのこの試料液１の水位の最高位置までの距離は２０ｍｍ以下である。
【００３５】
すなわち、試料液容器１００内に仕様範囲内で最大限の試料液１を収容したときの、この試料液１の最大深さは２０ｍｍ以下である。なお、上記液溜部Ｄ１は容器温調部分１１１に含まれている。
【００３６】
上記試料液１は、表面プラズモン共鳴の原理を用いたタンパクと化合物との結合量の測定に用いられるものであり、タンパクあるいは化合物を溶解させたものである。なお、上記表面プラズモン共鳴の原理を用いたタンパクと化合物との結合量の測定に関しては特開２００４−１７０３６４号公報等を参照することができる。
【００３７】
また、上記ピペッテ８０は、試料液１の自動分注に用いられるものであり、試料液容器１００に収容されている試料液１から自動的に所定量の試料液１を吸引して取り出すために用いられるものである。なお、図２に示すように、互に異なる種類の試料液を収容した複数の試料液容器１００が並べられて自動分注に用いられることもある。
【００３８】
次に、試料液容器１００に収容された試料液１がピペッテ８０で吸引され取り出されるときのこの取り出される試料液１ｐの温調について説明する。
【００３９】
上記液溜部Ｄ１の近傍の試料液１ｐ中には、サーミスタ等の温度センサ２２０が配置されている。温調装置２００には、上記温度センサ２２０で測定されケーブル２３０を通して伝送された温度データが入力され、この温調装置２００が上記入力された温度データに基づいて温調部２１０を制御する。この温調部２１０の制御により上記試料液１がピペッテ８０で吸引され取り出されるときのこのピペッテ８０で吸引される試料液１ｐを温調する。
【００４０】
ここで、上記ピペッテ８０で吸引される試料液１ｐは上記液溜部Ｄ１の上方（図中矢印＋Ｚ方向）の近傍に位置する。また、温調部２１０は液溜部Ｄ１の下方（図中矢印−Ｚ方向）の近傍に位置する。したがって、温調装置２００により上記試料液１ｐを効率良く温調することができる。すなわち、ピペッテ８０の吸引口８０Ｋから吸引され取り出されるときのこの吸引口８０Ｋの近傍に位置する試料液１を、他の領域に位置する試料液１より正確に温調することができる。
【００４１】
ここで、開口部１０から外部に抜き出された状態で待機していたピペッテ８０を、開口部１０を通って下方（図中矢印−Ｚ方向）へ移動させ、試料液１中におけるこの試料液１を吸引する所定の位置に位置させる。このとき、ピペッテ８０の吸引口８０Ｋは液溜部Ｄ１の上方、すなわち、より正確な温度に温調された試料液１ｐが存在する領域に位置する。そして、この試料液１ｐがピペッテ８０によって吸引され取り出される。
【００４２】
上記、ピペッテ８０による試料液１の吸引は繰り返し実行されるが、ピペッテ８０の吸引口８０Ｋは、常に試料液容器１００中の同じ位置で試料液１を吸引する。したがって、ピペッテ８０は、毎回、吸引口８０Ｋからより正確な温度に温調された試料液１を吸引することができる。
【００４３】
これにより、試料液１がピペッテ８０で吸引され取り出されるときのこのピペッテ８０で吸引される試料液１ｐの温度をより正確に温度管理することができる。
【００４４】
上記説明では、試料液１ｐを吸引するときのピペッテ８０の吸引口８０Ｋの位置の下方に温調部２１０を位置させた。しかし、例えば、図１中に示すように温調部２１０を、容器温調部分１１１中の、試料液１を吸引するときの吸引口８０Ｋの位置の側方の外側表面（図中矢印Ｓｏで示す領域）に接触するように配置しても、上記と概略同様の効果を得ることができる。すなわち、試料液がピペッテで吸引され取り出されるときのこのピペッテで吸引される試料液の温度をより正確に温度管理する効果を得ることができる。
【００４５】
なお、容器温調部分を、試料液容器のうちの上記領域に配する場合に限らない。例えば、図３に示すように、試料液容器のうちの、液溜部Ｄ１の下方領域のみを容器温調部分１１１Ａとしてもよい。ここで、容器温調部分１１１Ａは下側（図中矢印−Ｚ方向）に、アルミニウム部材、鉄部材、銅部材、あるいはステンレス部材等からなる金属部材Ｍｅが配置され、上側（図中矢印＋Ｚ方向）に樹脂部材が配置された２層構造からなるものであり、容器温調部分１１１Ａの外側表面部分と内側表面部分との間における熱伝導率が１５[Ｗ・Ｍ−１・Ｋ−１]以上である。
【００４６】
すなわち、試料液容器のうちの、上記容器温調部分１１１Ａ以外の部分を樹脂製とし、この試料液容器を、樹脂製の容器ヘッド部１２０Ａと、上記容器温調部分１１１Ａおよび樹脂製の樹脂容器部分１１２Ａからなる容器本体部１１０Ａとを備えたものとしてもよい。
【００４７】
さらに、上記容器温調部分は、容器本体部の全部としてもよい。すなわち、図４に示すように、容器本体部１１０Ｂの全部を、熱伝導率が１５[Ｗ・Ｍ−１・Ｋ−１]以上の部材、たとえばＳＵＳ３１６等の耐食性に優れたステンレス部材で形成するようにしてもよい。すなわち、試料液容器を、樹脂製の容器ヘッド部１２０Ｂと、上記容器温調部分１１１Ｂである容器本体部１１０Ｂとを備えたものとしてもよい。
【００４８】
ここで、上記図１、および図３に示した上述の試料液容器は、この試料液容器の内側表面のうちのピペッテ８０の吸引口８０Ｋ近傍に位置する内側表面部分と、この試料液容器の外側表面のうちの試料液１を温調するために加熱あるいは冷却される外側表面部分との間の熱伝導率が、他の表面部分間の熱伝導率より高くなるように構成されているものである。
【００４９】
なお、上記実施の形態においては、自動分注に用いられるピペッテを用いて試料液が吸引される試料液容器について説明したが、このような場合に限らない。本発明の手法は、内部に収容された試料液が吸引管によって吸引され取り出される試料液容器であれば、どのような試料液容器に対しても適用可能である。
【００５０】
また、上記実施の形態においては、表面プラズモン共鳴の原理を用いたタンパクと化合物との結合量の測定に用いられる上記タンパクあるいは上記化合物を溶解させた試料液を収容する試料液容器について説明したが、このような場合に限らない。本発明の手法は、試料液容器が収容している試料液の種類にかかわらず適用することが可能である。
【図面の簡単な説明】
【００５１】
【図１】本発明の実施の形態による試料液容器の概略構成を示す断面図
【図２】試料液容器の外観を示す斜視図
【図３】試料液容器の他の実施例を示す図
【図４】試料液容器の他の実施例を示す図
【符号の説明】
【００５２】
１    試料液
８０    吸引管
８０Ｋ    吸引口
１００    試料液容器
１１０    容器本体部
１１１    容器温調部分
１１２    樹脂容器部分
１２０    容器ヘッド部
【図１】
2007163403.tif 000003
【図２】
2007163403.tif 000004
【図３】
2007163403.tif 000005
【図４】
2007163403.tif 000006